(57)【要約】      （修正有）【課題】食品の購買者の購買意欲を高めることができる食品用トレーを提供する。【解決手段】食品を載せ置くための食品用トレー１００であって、食品が載せ置かれたときに隠される表面領域である底面１０にクジ１６を設ける。【選択図】図１
0003191391.tif 000002
【実用新案登録請求の範囲】
【請求項１】
食品を載せ置くための食品用トレーであって、
前記食品が載せ置かれたときに隠される表面領域にクジが設けられていることを特徴とする食品用トレー。
【請求項２】
請求項１に記載の食品用トレーであって、
前記表面領域に加えて、前記表面領域と反対側の裏面領域にもクジが設けられ、
前記表面領域に前記食品が載せ置かれた状態において前記裏面領域に設けられたクジを外部から確認することが可能であることを特徴とする食品用トレー。
【請求項３】
請求項１又は２に記載の食品用トレーであって、
前記クジは型押し加工されていることを特徴とする食品用トレー。
【考案の詳細な説明】
【技術分野】
【０００１】
本考案は、食品を載せ置く食品用トレーに関する。
【背景技術】
【０００２】
近年、ケーキ等の食品を販売等する際に食品を載せ置く食品トレーが用いられている。例えば、紙やプラスチックで形成された丸、四角等の皿形の食品トレーが多用されている（特許文献１等）。
【先行技術文献】
【特許文献】
【０００３】
【特許文献１】特開２０１１−０９３５９０号公報
【考案の概要】
【考案が解決しようとする課題】
【０００４】
これまでの食品用トレーでは、食品販売棚に陳列する際に食品に対する購買者の興味を引くような形や色が採用されている。しかしながら、購買者の購買意欲をより促進することができる食品用トレーが要望されている。
【課題を解決するための手段】
【０００５】
本考案は、食品を載せ置くための食品用トレーであって、前記食品が載せ置かれたときに隠される表面領域にクジが設けられていることを特徴とする。
【０００６】
ここで、前記表面領域に加えて、前記表面領域と反対側の裏面領域にもクジが設けられ、前記表面領域に前記食品が載せ置かれた状態において前記裏面領域に設けられたクジを外部から確認することが可能であることが好適である。また、前記クジは型押し加工されていることが好適である。
【考案の効果】
【０００７】
本考案によれば、食品の購買者の購買意欲を高める効果を奏することができる。
【図面の簡単な説明】
【０００８】
【図１】本考案の実施の形態における食品用トレーを表面側からみた斜視図を示す図である。
【図２】本考案の実施の形態における食品用トレーを裏面側からみた斜視図を示す図である。
【図３】本考案の実施の形態における食品用トレーを表面側からみた斜視図を示す図である。
【図４】本考案の実施の形態における食品用トレーを裏面側からみた斜視図を示す図である。
【考案を実施するための形態】
【０００９】
本考案の実施の形態における食品用トレー１００は、図１及び図２に示すように、皿形状を備えている。図１は、食品用トレー１００をケーキ等の食品が載せ置かれる表面側からみた斜視図であり、図２は、食品用トレー１００を裏返した裏面側からみた斜視図である。
【００１０】
食品用トレー１００は、底面１０、立ち上がり面１２及び縁１４によって構成される。底面１０は、ケーキ等の食品が載せ置かれる領域である。底面１０は、食品を安定に載せ置くために平らな面を含むように構成することが好適である。立ち上がり面１２は、底面１０から縁１４へ向かって立ち上がる部分である。立ち上がり面１２は、底面１０に載せ置かれた食品が食品用トレー１００外にこぼれることを防ぐことができる高さとすることが好適である。縁１４は、立ち上がり面１２の周囲に設けられる。縁１４は、食品用トレー１００を持ち易くしたり、意匠性を高めたりするために用いられる。ただし、立ち上がり面１２及び縁１４は必ずしも設けなくてもよい。
【００１１】
食品用トレー１００は、食品を載せ置くことができればその材料は限定されないが、例えば、紙、プラスチック、金属等で形成することができる。
【００１２】
本実施の形態では、図１に示すように、食品用トレー１００の表面領域にクジ１６が設けられる。ここで、食品用トレー１００の表面領域とは、食品用トレー１００の食品が載せ置かれる側の面を意味する。すなわち、食品用トレー１００の表面領域は、食品を食品用トレー１００に載せ置いたときに食品によってクジ１６が隠されることになる領域である。立ち上がり面１２が設けられている場合、食品用トレー１００の表面領域は、立ち上がり面１２によって食品用トレー１００が凹状となった側の底面１０を意味する。
【００１３】
クジ１６は、くじの内容を示すものであればよい。例えば、クジ１６は、「当たり」の場合にはそれを示す所定の文字や記号を表示させ、「はずれ」の場合にはそれを示す所定の文字や記号を表示させればよい。また、「当たり」又は「はずれ」の場合には何も表示させないようにして、互いに区別できるようにしてもよい。また、例えば、クジ１６は、「１等」、「２等」・・・等の順位を示す所定の文字や記号を表示させるようにしてもよい。なお、クジ１６の種類はこれらに限定されるものではなく、食品用トレー１００に表示できるものであればよい。
【００１４】
このように、食品用トレー１００の表面領域にクジ１６を設ける（表示させる）ことによって、顧客が購入した商品の食品用トレー１００のクジ１６の内容に応じて顧客に特別なサービスを提供する等してサービスの質を向上させ、顧客の購買意欲を高めることができる。顧客に与えるサービスは、例えば、さらにもう１つの商品を付与する等、さまざまな態様が考えられる。
【００１５】
さらに、本実施の形態では、図２に示すように、食品用トレー１００の裏面領域にクジ１６を設けることがより好適である。ここで、食品用トレー１００の裏面領域とは、食品用トレー１００の食品が載せ置かれる側の反対側の面を意味する。すなわち、食品用トレー１００の裏面領域は、食品を食品用トレー１００に載せ置いたときに食品によってクジ１６が隠されない領域である。立ち上がり面１２が設けられている場合、食品用トレー１００の裏面領域は、立ち上がり面１２によって食品用トレー１００が凸状となった側の底面１０を意味する。
【００１６】
ここで、食品用トレー１００の裏面領域に設けられるクジ１６は、表面領域に設けられるクジ１６と同じ内容とする。例えば、食品用トレー１００の表面領域に「当たり」が表示された場合、裏面領域にも「当たり」を表示させる。
【００１７】
このように、食品用トレー１００の裏面領域にクジ１６を設ける（表示させる）ことによって、顧客に販売する際に食品用トレー１００の表面領域に食品を載せ置いた状態で食品用トレー１００の裏面領域に表示されたクジ１６の内容を確認した上で販売することができる。このとき、食品用トレー１００の表面側には食品が載せ置かれているので購買者からクジ１６の内容は見えないが、店員は食品用トレー１００の裏面側を確認することができる。これにより、店員は販売されたクジ１６の内容を記録等することができ、不正を防止することができる。
【００１８】
また、クジ１６を表面領域及び裏面領域に設けるために型押し加工を採用してもよい。食品用トレー１００の表面側又は裏面側から型押し加工することによって、食品用トレー１００の表面領域及び裏面領域に同時に同じ文字及び記号のクジ１６を設けることができる。
【００１９】
なお、図１及び図２では、食品用トレー１００の形状は円形としたが、これに限定されるものではなく、三角形、四角形、ハート型、星形等の様々な形状としてもよい。食品用トレー１００の大きさは、直径（幅・長さ）が数ｃｍから数十ｃｍ程度まで様々な大きさとしてもよい。
【００２０】
また、食品用トレー１００は、皿形状に限定されるものではなく、少なくとも食品が載せ置かれる形状であればよい。例えば、図３及び図４に示すように、立ち上がり面１２及び縁１４を設けず、平坦な底面１０のみからなる食品用トレー１０２としてもよい。
【産業上の利用可能性】
【００２１】
本考案に係る食品用トレーは、食品の販売促進に利用することができる。
【符号の説明】
【００２２】
１０  底面、１２  立ち上がり面、１４  縁、１６  クジ、１００  食品用トレー。
【図１】
0003191391.tif 000003
【図２】
0003191391.tif 000004
【図３】
0003191391.tif 000005
【図４】
0003191391.tif 000006